(57)【特許請求の範囲】
【請求項１】
一対の側壁(1)に外フラップ(6,7)を、他の側壁(2)に内フラップ(8)をそれぞれ連設し、外フラップ(6,7)の先端から差込片(9,10)を延出し、内フラップ(8)にスリット(11)を設け、内フラップ(8)を折り曲げ、外フラップ(6,7)を内フラップ(8)に折り重ねて互いに突き合わせ、外フラップ(6,7)から折り曲げた差込片(9,10)をスリット(11)に差し込んで封緘する包装箱において、
前記一対の側壁(1)から延びる外フラップ(6,7)のうち、一方の外フラップ(6)の先端には、差込片(9)への切込により指掛突起(12)を設け、他方の外フラップ(7)の先端には、差込片(10)への切込により係合突起(13)を設け、
前記指掛突起(12)を設けた一方の外フラップ(6)の先端の差込片(9)は、他方の外フラップ(7)の先端の差込片(10)よりも両側方へ張り出すように幅を広く設定し、前記一方の外フラップ(6)の先端の差込片(9)にのみ、基部の両端に切欠によるロック部(15)を設け、
封緘に際しては、一方の外フラップ(6)からの差込片(9)の折り曲げに伴い、指掛突起(12)の抜出跡に係合穴(14)を開口させ、他方の外フラップ(7)の係合突起(13)を係合穴(14)に係合させつつ、差込片(9,10)をスリット(11)に差し込むと、差込片(9)のロック部(15)が内フラップ(8)のスリット(11)に臨む端縁に係合し、一方の外フラップ(6)が指掛突起(12)で他方の外フラップ(7)を押さえた状態で固定されて、両方の外フラップ(6,7)が閉止状態でロックされ、
開封に際しては、指掛突起(12)に指を掛け、一方の外フラップ(6)を開き始めると、係合突起(13)と係合穴(14)との係合により他方の外フラップ(7)も開き始め、差込片(10)がスリット(11)から抜けた後、係合突起(13)が係合穴(14)から離脱するようにしたことを特徴とする易開封包装箱。
【発明の詳細な説明】
【技術分野】
【０００１】
この発明は、観音開き形式で容易に開封できるようにした包装箱に関するものである。
【背景技術】
【０００２】
観音開き形式の包装箱として、下記特許文献１には、図８に示すようなものが記載されている。この包装箱は、周壁を形成する各一対の側壁５１，５２のうち、一対の側壁５１の上端に外フラップ５３を、他対の側壁５２の上端に内フラップ５４をそれぞれ連設し、外フラップ５３の先端から差込片５５を延出し、内フラップ５４に先端からスリット５６を入れ、一方の外フラップ５３の先端に、差込片５５への円弧状の切込により指掛突起５７を設けたものとされている。
【０００３】
この包装箱を封緘する際には、内フラップ５４を水平方向へ折り曲げ、外フラップ５３を内フラップ５４の上面に折り重ねて互いに突き合わせ、外フラップ５３から差込片５５を折り曲げ、スリット５６に差し込むようにする。このとき、突出した指掛突起５７を他方の外フラップ５３の上面に載せる。
【０００４】
また、この包装箱を開封する際には、指掛突起５７に指を掛け、一方の外フラップ５３を引き起こすように開いて、その先端の差込片５５をスリット５６から引き抜き、次に、他方の外フラップ５３を引き起こすように開いて、その先端の差込片５５をスリット５６から引き抜き、その後、内フラップ５４を開くことにより、天面を開口させる。
【先行技術文献】
【特許文献】
【０００５】
【特許文献１】実開昭５４−２５２８号公報
【発明の概要】
【発明が解決しようとする課題】
【０００６】
しかしながら、上記のような包装箱では、開封する際、まず、一方の外フラップ５３を開いて、その先端の差込片５５をスリット５６から引き抜いた後、さらに、他方の外フラップ５３を開いて、その先端の差込片５５をスリット５６から引き抜く必要があり、開封に手間がかかるという問題がある。
【０００７】
また、封緘状態で、突き合わせた外フラップ５３が浮き上がりやすく、封緘状態を確実に維持するためには、外フラップ５３の突合部をテープの貼り付けや軽い糊付けにより固定しなければならない場合もある。
【０００８】
そこで、この発明は、容易に開封でき、封緘状態では、外フラップの閉止状態が確実に維持される観音開き形式の包装箱を提供しようとするものである。
【課題を解決するための手段】
【０００９】
上記課題を解決するため、この発明は、一対の側壁に外フラップを、他の側壁に内フラップをそれぞれ連設し、外フラップの先端から差込片を延出し、内フラップにスリットを設け、内フラップを折り曲げ、外フラップを内フラップに折り重ねて互いに突き合わせ、外フラップから折り曲げた差込片をスリットに差し込んで封緘する包装箱において、前記一対の側壁から延びる外フラップのうち、一方の外フラップの先端には、差込片への切込により指掛突起を設け、他方の外フラップの先端には、差込片への切込により係合突起を設けたのである。
【００１０】
そして、封緘に際しては、一方の外フラップからの差込片の折り曲げに伴い、指掛突起の抜出跡に係合穴を開口させ、他方の外フラップの係合突起を係合穴に係合させつつ、差込片をスリットに差し込むようにしたのである。
【００１１】
また、開封に際しては、指掛突起に指を掛け、一方の外フラップを開き始めると、係合突起と係合穴との係合により他方の外フラップも開き始め、差込片がスリットから抜けた後、係合突起が係合穴から離脱するようにしたのである。
【００１２】
さらに、前記一方の外フラップの先端の差込片は、基部の両端に切欠によるロック部を設けたものとし、封緘状態では、差込片のロック部が内フラップのスリットに臨む端縁に係合し、一方の外フラップが指掛突起で他方の外フラップを押さえた状態で固定され、両方の外フラップが閉止状態でロックされるようにしたのである。
【発明の効果】
【００１３】
この発明に係る包装箱では、開封に際し、一方の外フラップを開くだけで、係合突起と係合穴との係合により他方の外フラップも開き始め、差込片がスリットから抜けた後、係合突起が係合穴から離脱するので、１つの動作で両方の外フラップを開いて、その差込片を内フラップのスリットから引き抜くことができ、容易に開封できる。
【００１４】
また、封緘状態において、一方の外フラップの差込片の基部に設けたロック部が内フラップのスリットに臨む端縁に係合し、一方の外フラップが指掛突起で他方の外フラップを押さえた状態で固定され、両方の外フラップが閉止状態でロックされるようにしたので、確実な封緘性が得られる。
【図面の簡単な説明】
【００１５】
【図１】この発明の第１実施形態に係る易開封包装箱のブランクを示す図
【図２】同上の封緘（開封）過程を示す斜視図
【図３】同上の上部縦断側面図
【図４】同上の封緘状態を示す斜視図
【図５】同上の開封状態を示す斜視図
【図６】この発明の第２実施形態に係る易開封包装箱の上部斜視図
【図７】この発明の第３実施形態に係る易開封包装箱の斜視図
【図８】特許文献１に係る包装箱の開封状態を示す斜視図
【発明を実施するための形態】
【００１６】
以下、この発明の実施形態を添付図面に基づいて説明する。
【００１７】
この発明の第１実施形態に係る包装箱は、図１に示すような段ボール製のブランクから形成される。このブランクでは、各一対の側壁１，２が交互に連設され、一方の側壁２の外側端に継代片３が連設されている。一対の側壁１の下端には底板４が連設され、他対の側壁２の下端には折畳用の斜折線を有する底板５が連設されている。
【００１８】
一対の側壁１の上端のうち、一方の側壁１の上端には外フラップ６が連設され、他方の側壁１の上端には外フラップ７が連設されている。また、側壁２の上端には、それぞれ内フラップ８が連設されている。
【００１９】
一方の外フラップ６の先端中間部には差込片９が、他方の外フラップ７の先端中間部には差込片１０がそれぞれ連設され、一対の内フラップ８には、それぞれ先端中央部からスリット１１が入れられている。
【００２０】
一方の外フラップ６の先端には、差込片９への弧状の切込により指掛突起１２が設けられ、他方の外フラップ７の先端には、差込片１０へのコ字状の切込により係合突起１３が設けられている。指掛突起１２の切込は、封緘時に係合穴１４として開口する。
【００２１】
また、差込片９は、差込片１０よりも両側方へ張り出すように幅が広く、差込片９の最大幅は、封緘時において対向するスリット１１の両端間の寸法よりも大きくなっており、差込片９の基部の両端には、切欠によるロック部１５が設けられている。
【００２２】
このブランクを組み立てて物品を包装するには、図２に示すように、各一対の側壁１，２を四角筒状に折り曲げ、継代片３を反対側の側壁１に貼り付けて周壁を形成し、２組の底板４，５を折り曲げて１組ずつ貼り合わせ、底壁を形成する。
【００２３】
そして、箱内に物品を収納し、対向する内フラップ８を水平方向へ折り曲げた後、図３に示すように、外フラップ７を内側に倒す方向へ折り曲げると共に、その先端の差込片１０を下方へ折り曲げ、次に、外フラップ６を内側に倒す方向へ折り曲げると共に、その先端の差込片９を下方へ折り曲げ、指掛突起１２の抜出跡に係合穴１４を開口させる。
【００２４】
そして、外フラップ７の係合突起１３を係合穴１４に係合させつつ、差込片９，１０をスリット１１に差し込み、図４に示すように、外フラップ６，７を内フラップ８の上面に重ねて互いに突き合わせる。
【００２５】
これにより、差込片９の基部両端のロック部１５が内フラップ８のスリット１１に臨む端縁に係合し、一方の外フラップ６が指掛突起１２で他方の外フラップ７を押さえた状態で固定され、両方の外フラップ６，７が浮き上がらないようにロックされて、確実な封緘性が得られる。
【００２６】
そのほか、スリット１１に対する差込片９のずれ動きが防止され、持ち運び時の外力等により、周壁が平面視で平行四辺形状に歪む変形現象が防止される。
【００２７】
また、この包装箱を開封する際には、指掛突起１２に指を掛けて、一方の外フラップ６を引き上げる。これに伴い、図２及び図３に示すように、一方の外フラップ６が開き始めると、係合突起１３と係合穴１４との係合により他方の外フラップ７も開き始め、差込片９，１０がスリット１１から抜けた後、係合突起１３が係合穴１４から離脱する。
【００２８】
そして、図５に示すように、外フラップ６，７を完全に開いた後、内フラップ８を開いて天面を開口させると、箱内から物品を取り出すことができる。
【００２９】
このように、上記包装箱では、１つの動作で両方の外フラップ６，７を開き、その先端の差込片９，１０を内フラップ８のスリット１１から引き抜くことができるので、容易に開封することができる。
【００３０】
ここで、差込片１０がスリット１１から抜けた後、係合突起１３が係合穴１４から離脱する順序を実現するためには、図３に示すように、外フラップ７の長さａ及び係合突起１３の長さｂを考慮して、包装箱の設計に際し、差込片１０の長さｃを短かめに設定しておく必要がある。
【００３１】
なお、図示の例では、天面が外フラップ６，７及び内フラップ８による開閉面とされたものを示しているが、この開閉面は、包装箱の側面に位置するようにして、側面から物品を出し入れするようにしてもよい。
【００３２】
また、上記第１実施形態では、内フラップ８が側壁１の半分の長さよりも短く、内フラップ８の先端からスリット１１が入っているが、図６に示す第２実施形態のように、内フラップ８を長くして、互いに重なり合うものとし、スリット１１は、内フラップ８の中間部に設け、両端が閉塞された形状としてもよい。
【００３３】
また、上記第１実施形態では、いわゆるＡ式底ワンタッチ形式の包装箱を例示しているが、底壁の形状は、底板の噛み合わせだけで閉塞状態が保持されるいわゆるインターロック形式としてもよく、各一対の内フラップと外フラップとを重ね合わせて、テープや接着剤で固定する最も基本的なＡ式の底構造としてもよい。
【００３４】
また、図７に示す第３実施形態のように、一枚の底壁１６の外周各辺から各一対の側壁１，２が延出されたいわゆる奴式の包装箱としてもよい。
【００３５】
そのほか、上記各実施形態では、平面形状が四角形の包装箱を例示したが、平面形状が六角形や八角形の包装箱においても、同様の封緘構造を適用できる。
【符号の説明】
【００３６】
１，２  側壁
３  継代片
４，５  底板
６，７  外フラップ
８  内フラップ
９，１０  差込片
１１  スリット
１２  指掛突起
１３  係合突起
１４  係合穴
１５  ロック部
１６  底壁
【図１】
0006426492.tif 000002
【図２】
0006426492.tif 000003
【図３】
0006426492.tif 000004
【図４】
0006426492.tif 000005
【図５】
0006426492.tif 000006
【図６】
0006426492.tif 000007
【図７】
0006426492.tif 000008
【図８】
0006426492.tif 000009